(57)【要約】      （修正有）【課題】襟の開き具合や曲げ具合をシャツ着用者が指先や掌で意のままに上下左右に奥に前にと自由に形成出来その状態を保持して、しかも襟からずれたり外れたり外へ露顕したりすることのない襟立てカラーを提出する。【解決手段】複数個の面フアスナー切片の裏側に設けられた空洞を貫通してそれら切片を支えるという両者の組み合わせになっている。この金属棒の長さは台襟の長さよりも少し短く、その両尖端は面フアスナー切片が外れない程度に、また尖端が身体に当たっても突き刺さりを感じないように嵩高に尖端処理されている。又、面フアスナー切片の大きさは、それぞれの嵌め合わせによって金属棒を支えるに足るだけの面積を有する小片である。【選択図】図１
2007016344.tif 000002
【特許請求の範囲】
【請求項１】
裏面に空洞を設けた面フアスナーの雄又は雌の切片と、それら空洞を貫通して移動でき両面が嵩高くなるように尖端を処理された金属棒から成る襟立てカラー
【請求項２】
請求項１に記載の面フアスナー切片に対応してシャツの台襟に固着するための雌又は雄の面フアスナー切片複数個を具備する請求項１の襟立てフアスナー
【発明の詳細な説明】
【技術分野】
【０００１】
本発明は、ネクタイを外した場合の襟の起立や曲げ具合に関する。
【背景技術】
【０００２】
ワイシャツはネクタイを着用した時は締りがあり凛々しく見えるが、ネクタイを外し、一番上のボタンを外して着用者がくつろいだ状態になると、襟布の重みで襟全体が倒れて左右に開き、見た目に締りなく、だらしない印象を与える恐れがある。この発明の襟立てカラーは、それを使用することに依って、ネクタイとボタンを外したくつろぎが得られると同時に、襟が倒れるのを防ぎ、襟の起立や曲げ状態を着用者の意のままに保つことに関するものである。
【０００３】
ワイシャツの襟の倒れるのを防ぐ目的で、硬い布地を用いたり,糊つけアイロンをほどこしたり、又羽根襟の左右両端にボタン穴を設け、それに対応するシャツの前身ごろ上端辺りに縫い付けたボタンを嵌めるなどが行われている。
【０００４】
また、襟の起立や形状保持機能として特許文献１や２などがある。
【特許文献１】特開２００２−３６３８０１号
【特許文献２】特開２００３−１３８４１４号
【発明の開示】
【発明が解決しようとする課題】
【０００５】
しかし、それらはいずれも不充分であって、特に柔らかい布地や,度重なる洗濯で柔らかくなった布地の襟は倒れ易く、日中の長い間には大きく左右に開くのが避けられないし、その場合復元のしようがないのが現状である。
【０００６】
特許文献１及び２の襟形状維持用具は共に台襟、羽根襟との接合点が無くそれらと遊離しているので、着用者の動きによって容易に移動し時間の経過と共に襟からはみだして外へ露顕したり外れたりする。
【０００７】
更に特許文献２では金属棒が薄板の空洞管の中に在る為に、薄板が縦方向には曲がらない硬直性によって、金属棒が首の後ろ部から左右の肩方向にかけての身体の微妙な曲線に合わせた曲がり方が出来なくて羽根襟の外にはみ出したり、更に肝心の襟の両端部での自由な曲げに制約が懸かりそれが襟の上下左右の自由な曲げによる形成の必要性に充分応じられない結果になるなど、いずれも使い勝手が悪く実用に供せられない欠点がある。
【０００８】
本発明は従来の問題を解決しようとするものであり、襟の開き具合や曲げ具合をシャツ着用者が指先や掌で意のままに上下左右に奥に前にと自由に形成出来その状態を保持して、しかも襟からずれたり外れたり外へ露顕したりすることのない襟立てカラーを目的とするものである。
【課題を解決するための手段】
【０００９】
本発明は上記目的を達成するために針金状金属棒が、複数個の面フアスナー切片の裏側に設けられた空洞を貫通してそれら切片を支えるという両者の組み合わせになっている。この金属棒の長さは台襟の長さよりも少し短く、その両尖端は面フアスナー切片が外れない程度に、また尖端が身体に当たっても突き刺さりを感じないように嵩高に尖端処理されている。又、面フアスナー切片の大きさは、それぞれの嵌め合わせによって金属棒を支えるに足るだけの面積を有する小片である。
【００１０】
一方、ワイシャツの台襟外側の中程および両端よりも少し内側辺りに、上記複数個の面フアスナー切片に対応する雄または雌の面フアスナー切片を予め貼り付け固定される。
【００１１】
シャツを着用するに当たっては、上記金属棒を台襟上に台襟に沿って並べ、それぞれ対応する複数個の雄雌面フアスナー切片を全て嵌め合わせ接合した上で、羽根襟を下ろして被せ、金属棒の両尖端が羽根襟の下にほぼ隠れて見えないような位置に金属棒を動かして大体の位置決めをする。その上でシャツを着用すると，金属棒は羽根襟の下にあってその圧力で着用者の首の周りに沿って湾曲する。
【００１２】
この時、金属棒は面フアスナー切片の空洞の中に在って自由に移動できるので，羽根襟、台襟、金属棒の夫々に湾曲円弧の長さの差があっても、襟の突っ張りや引きつりを起こすことはない。
【００１３】
また、複数個の面フアスナー切片は小片であり、金属棒は台襟よりも少し短い長さなのでこの発明の襟立てカラーは羽根襟の下に隠れて外からは見えない。
【００１４】
また、金属棒は雄雌が嵌め合わされ固定された面フアスナー切片の空洞に支えられているので台襟や羽根襟からの脱落やはみ出しは起こらない。
【００１５】
シャツの着用後は羽根襟の外から両手の掌や指で力を加え、中にある金属棒が、それが裸である為に着用者の首に沿った曲がり具合やその尖端の曲げ具合を自由に調整出来ることによって、羽根襟の開き具合や曲がり具合は着用者の時や場所に応じた好みに従って前後左右に自由に調整され形成される。
【００１６】
また、反対に、シャツの前ボタンの多くを外してこの発明の襟立てカラーを中に保持する襟全体を左右に大きく開くと、シャツの前身ごろは複数個の面フアスナー切片の空洞を貫通し適度の剛性を持つ金属棒に支えられて、その開かれた状態に維持され、それによって胸辺りに新鮮な空気を取り入れて涼気を得たり、シャツ内の汗を乾燥させたりが可能になる。
【発明の効果】
【００１７】
ネクタイを絞めるビジネス用のワイシャツに於いては、着用者がネクタイや第一ボタンを外してくつろぎの状態にあれば、襟が左右に倒れて締りなく、だらしなく見えて、ひいては相手に不快感を持たせるといった非礼が避けられないが、この発明の襟立てカラーの着用によって襟立てと襟の曲げ具合が調整され形成されて、適度な行儀の良さや凛々しさや威厳が保たれる。
【００１８】
本発明の襟立てカラーの金属棒は特許文献３のように薄板の空洞管の中に閉ざされているのではなく裸であるために何の制約もなく上下左右にと自由な曲げの操作が出来る特徴がある。それによって微妙な襟立てと襟の曲げ具合がより適切に着用者の意のままに調整され形成され、適度な行儀の良さや凛々しさや威厳が保たれる。
【００１９】
また、台襟と羽根襟が具備されているが、本来的にネクタイを絞めないレジャー用やカジュアルシャツに於いても、襟が過度に開きっ放しになって、場合によってだらしなく映り、相手に対して非礼にもなるなどの社会生活上の不利益になるような事態も同じように避けられる。
【００２０】
襟元は、一番人目につく大切な部分であるだけに、色々な種類のネクタイを絞めることで装飾的効果を持たせているところであるが、そのネクタイを外した場合,襟全体はその素材として柔らかい織り布の自然な成り行きとして左右に倒れたりだれたりするのは避けられなく、それがだらしなさの印象をかもし出すのが現状である。
【００２１】
その大切な部分をこの発明の襟立てカラーは、金属棒やその尖端の曲げ具合によって襟全体の起ち具合曲がり具合を着用者の意のままにコントロール出来ることで、美観と威厳をもたらす大切な働きをなす部分に変革するものである。
【００２２】
暑くて、下着が汗ばむ時などは、多くの前ボタンを外して襟全体を左右に大きく広げると、金属棒がその状態をそのままに保持し、ワイシャツの胸部を引き上げて開き、外の空気の流入を促し、急速な乾燥と涼気をもたらすことが出来る。
【００２３】
襟立てカラーの着用はネクタイを絞めるよりも簡単である。
【００２４】
金属棒は普通の針金程度に柔軟であり、その両端は嵩高く尖端処理されているので、使用上の危険性は考えられない。
【発明を実施するための最良の形態】
【００２５】
以下、本発明の実施の形態を図１〜図３に於いて説明する。
【００２６】
図１に於いては、１は針金状の金属棒で、複数個の面フアスナーの切片２に設けられた空洞３を貫通し、両尖端７で嵩高に尖端処理されている。
【００２７】
図２は図１におけるＡ−Ａ線断面図で、面フアスナー切片２に設けられた空洞３の中を金属棒１が貫通している。空洞３は面フアスナーの切片の裏面を中へ二つ折れにして重ね合わせ端々を接合させる方法で設けられたものである。
【００２８】
図３に於いては、台襟４とそれに固着された複数個の面フアスナー切片５であり、金属棒１に支えられている面フアスナーの切片２に対応するものである。６は引き上げられた羽根襟である。
【００２９】
以下、上記構成の動作を説明する。ワイシャツを着用するに先立ち、台襟４に固着された複数個の面フアスナー切片５に、それらに対応する金属棒１上の面フアスナー2の全てを嵌め合わせると金属棒１は台襟4に沿って付着する状態になる。羽根襟6を下ろせば金属棒１は羽根襟６と台襟４に挟まれて隠れる。そのシャツを着用すれば金属棒１を含め襟全体が着用者の首回りに沿って湾曲する。この時、金属棒１は空洞３の中にあって自由に移動できるので、襟の突っ張りや引きつりは起こらない。
【００３０】
また、空洞３の中に在って保持されている金属棒１はその細さの故に嵩張らず、また台襟や羽根襟からはみ出したり露顕したり外れたりしない。
【００３１】
シャツ着用者は両手の掌と指先で羽根襟６を押さえてその下にある金属棒１の曲がり具合を調整して襟全体の形を上下左右奥へ前へと意のままに形成出来る。
【００３２】
反対に、多くのボタンを外し襟全体の両端を引っ張って中に在る金属棒１を直線状に伸ばせばシャツの前身ごろは左右に開き、金属棒１の支えによって、この場合でも引っ張りや引きつり無く、その状態が保たれる。
【実施例】
【００３３】
複数個の面フアスナーの切片を持つ金属棒（特許請求項１）１本さえあれば、各家庭で保有する在来のシャツの台襟に、対応する面フアスナーの切片を複数個ずつ固着して置くことで、金属棒の交代使用ができる。
【００３４】
数個の面フアスナーの切片を台襟の外側に貼り付けや縫い付けで固着しても嵩張らずシャツの洗濯などにも支障を来たさない。
【００３５】
以上のように、本実施形態によれば、複数個の面フアスナー切片２の持つ空洞３の中に在る金属棒１は突っ張りや引きつりを伴わずに着用者の意のままに微妙な襟の曲げ具合を上下左右に奥に前にと自由に形成出来ると共に、襟全体からはみ出したり外れたりしない効果が得られる。
【産業上の利用可能性】
【００３６】
ワイシャツその他いろいろなシャツの製造に当たり、図３のように台襟の外側にあらかじめ複数個の面フアスナーの切片を縫い付けたシャツをその製品とし、それら切片に対応する面フアスナーの切片を持つ金属棒（請求項１）とセットにして販売すれば、それに要するコストをはるかに上回る上述の発明の効果が付加価値として買い手には大きな魅力となり、在来のシャツの販売を凌駕する販売促進が期待できる。
【００３７】
また、そのようなシャツが普及すると，各家庭で保有する在来のシャツの台襟にも面フアスナーの切片を縫い付けて着用すべく、請求項２の襟立てカラーが独立の商品として扱われ流通する可能性も期待できる。
【図面の簡単な説明】
【００３８】
【図１】本発明襟立てカラーの請求項１の平面図
【図２】図１におけるＡ−Ａ線断面図
【図３】台襟に固着する面フアスナー切片と羽根襟の斜視図
【符号の説明】
【００３９】
１  金属棒
２  面フアスナー切片
３  空洞
４  台襟
５  ２に対応する面フアスナー切片
６  羽根襟
７  金属棒１の尖端部
【図１】
2007016344.tif 000003
【図２】
2007016344.tif 000004
【図３】
2007016344.tif 000005